(57)【要約】【課題】  ボルト等の嵌合の際の供回りを防止できると共に、ヘッドが固着しにくく、容易にスライドさせて使用でき、且つ、レール溝から外れる虞がない安全な使用が可能な固定金具を提供する。【解決手段】  内部に凸型の断面形状の溝部を有する棒材または板材などの、前記溝部の長手方向に沿って移動自在な円盤状ヘッド部と、前記円盤状ヘッド部の片面上に、前記円盤状ヘッドの軸部に対して偏心させて形成したボルト嵌合用の円柱状ナット部と、ボルト等の嵌合部材と、を供え、前記円柱状ナット部への前記嵌合部材の締め付けにより前記溝部の任意位置における固定を可能とする。【選択図】図１
2008157003.tif 000002
【特許請求の範囲】
【請求項１】
内部に凸型の断面形状の溝部を有する棒材または板材などの、前記溝部の長手方向に沿って移動自在な円盤状ヘッド部と、
前記円盤状ヘッド部の片面上に、前記円盤状ヘッドの軸部に対して偏心させて形成したボルト嵌合用の円柱状ナット部と、
ボルト等の嵌合部材と、を供え、
前記円柱状ナット部への前記嵌合部材の締め付けにより前記溝部の任意位置における固定を可能とすることを特徴とする固定金具。
【請求項２】
前記円柱状ナット部の高さは、前記溝部を形成する前記棒材または板材などの溝鍔部の高さよりも低いことを特徴とする請求項１に記載の固定金具。
【発明の詳細な説明】
【技術分野】
【０００１】  本発明は、棒材や板材などの組立用部材に形成したレール溝や、軽みぞ形鋼などのレール溝に挿入して用い、任意位置における部材の固定等を行うレール溝インサート用の固定金具に関する。
【背景技術】
【０００２】  いわゆるＣチャンネルと称されるレール溝を有する棒材や、内部に凸型の断面形状の溝部を有する板材や壁材などでは、その溝部に、矩形ヘッドを有するボルト付き固定金具を挿入し、そのボルトへの嵌合により各種部材を固定する手法が広く用いられている。このボルト付き固定金具は、ナット等を嵌合する際の供回りを防止するため、矩形のヘッドの一辺の長さが溝幅よりも僅かに小さくなるように設計されている。【０００３】  しかし、上記のような形状の固定金具の場合、レール溝の両端からしか固定金具のヘッドを挿入できないという問題や、矩形のヘッドに錆付き等を生じるとレール溝に固着しやすく、嵌合を緩めても固定金具が自在に動かせなくなるという問題があった。特に、レール溝を有する部材の末端が、既に組み立て完了等により加工または封止されていて固定金具を端部から挿入できないような場合、固定金具を挿入するための穴をレール溝の開口部側から形成するしか方策がないが、矩形の穴を事後に成形することは円形のそれと比較して困難であった。【０００４】  そこで、ヘッドの短辺（または最大幅）をレール溝の開口部幅ｗよりも小さく、且つヘッドの長編（または最大長さ）をレール溝の開口部幅よりも長くした矩形または平行四辺形のヘッドを有するボルト付き固定金具も提案されている（例えば、特許文献１参照）。この固定金具によれば、レール溝のどの位置からでも溝内に固定金具のヘッドを挿入することができる。【０００５】  しかし、この固定金具の場合、例えば、ボルトに嵌合したナットに緩みが生じた場合などには振動や衝撃等により固定金具がレール溝から外れる虞があるという安全性に係る問題があった。また、部材を保持しつつ固定金具のヘッドをレール溝に沿って自在にスライドさせる使用態様には不向きであるという問題もあった。
【特許文献１】  特開平１１−１４１５１１号公報  第３頁〜第５頁  図１
【発明の開示】
【発明が解決しようとする課題】
【０００６】  そこで本発明は上記従来の課題に鑑みてなされたものであって、円盤状ヘッド部に偏心して形成した円柱状ナット部に、ボルト等を嵌合して固定を行うことにより、ボルト等の嵌合の際の供回りを防止できると共に、ヘッドが固着しにくく、容易にスライドさせて使用でき、且つ、レール溝から外れる虞がない安全な使用が可能な固定金具を提供することを目的とするものである。
【課題を解決するための手段】
【０００７】  本発明の固定金具は、内部に凸型の断面形状の溝部を有する棒材または板材などの、前記溝部の長手方向に沿って移動自在な円盤状ヘッド部と、前記円盤状ヘッド部の片面上に、前記円盤状ヘッドの軸部に対して偏心させて形成したボルト嵌合用の円柱状ナット部と、ボルト等の嵌合部材と、を供え、前記円柱状ナット部への前記嵌合部材の締め付けにより前記溝部の任意位置における固定を可能とすることを特徴とする。
上記構成によれば、ヘッドが円盤状で、且つ、ナット部が偏心させて形成されているため、レール溝に挿入して使用する際、ボルト等を嵌合のために締め付けても供回りすることがない。また、円盤状であるため、レール溝との接触部が少なく、従ってヘッドが固着しにくく、容易にスライドさせて使用することができる。同様に、ヘッドの位置によって固定金具がレール溝から外れる虞がない。更に、ドリル等でレール溝の開口部側から事後に円形の穴部を形成すれば、固定金具のヘッド部を容易にレール溝に挿入、スライドして使用することができる。【０００８】  また、本発明の固定金具は、請求項１に記載の固定金具であって、前記円柱状ナット部の高さは、前記溝部を形成する前記棒材または板材などの溝鍔部の高さよりも低いことを特徴とする。
上記構成によれば、レール溝の任意位置においてボルト等の嵌合を行うことにより、固定金具をレール溝を有する部材に的確に固定することができる。つまり、レール溝が水平方向でなく、鉛直方向に形成されている場合にも、固定金具およびそれが保持する部材を的確に固定することができる。
【発明の効果】
【０００９】  以上のように、本発明の固定金具によれば、ボルト等を嵌合のために締め付けする際の供回りを防止できると共に、ヘッドが固着しにくいので容易にスライドさせて使用することができる。更に、レール溝から外れる虞がなく、安全に固定等を行うことができる。
【発明を実施するための最良の形態】
【００１０】  以下、本発明の実施の形態における固定金具について図面を用いて詳細に説明する。【００１１】  図１は、本発明の実施の形態における固定金具の外観を示す斜視図である。【００１２】  固定金具１０は、円盤状ヘッド部１と、円柱状ナット部２と、円柱状ナット部２に嵌合されるボルト等の嵌合部材３と、で構成される。円盤状ヘッド部１は、金属製のヘッドであり、片方の表面に偏心して同じ材質の円柱状ナット部２が形成されている。円柱状ナット部２の内部には、ボルト等の嵌合部材３をネジ締めするためのネジ溝が形成されている。嵌合部材３は、ボルト等であり、円柱状ナット部２に嵌合してその他の部材（例えば、図中のフック３０）を固定金具１０に保持するとともに、固定金具１０をレール溝２０に固定することができる。【００１３】  本発明の実施の形態における固定金具１０は、レール溝２０の両端部から円盤状ヘッド部１を挿入させて使用することができる他、図１に示すように、レール溝２０の開口部側から、円盤状ヘッド１より僅かに大きな直径を有する穴部２１を事後に形成すれば、穴部２１より容易に固定金具１０を挿入することができる。【００１４】  図２は、本発明の実施の形態における固定金具のレール溝への挿入状態を示す断面図である。図に示すように、固定金具１０の円柱状ナット部２の高さは、レール溝２０を形成する部材の溝鍔部２２の高さｈよりも低いため、嵌合部材３（ボルト）を締め付けるに従って、固定金具１０はレール溝２０に的確に固定される。【００１５】  一方、例えば、固定金具１０で保持する部材（例えば、図１や図２におけるフック３０）を、レール溝２０の任意の位置にスライドさせる使用態様とする場合には、円柱状ナット部２の高さを上記溝鍔部２２の高さより高く形成すればよい。この場合、嵌合部材３（ボルト）を締め付けても、保持する部材（フック３０）と固定金具１０のみが固定されるので、固定金具１０とフック３０を容易に移動させることができる。【００１６】  本発明の実施の形態における固定金具１０は、内部に凸型の断面形状の溝部を有するあらゆる部材に適用することができる。例えば、図３は、アルミニウム製のプレハブ構造物用建材４０に本発明の実施の形態における固定金具を挿入する様子を示す図であるが、断面が略凸型に形成された溝部４１に本発明の実施の形態における固定金具１０を挿入して使用することができる。【００１７】  そのため、図４に示すように、アルミニウム製のプレハブ構造物用建材４０を連結して形成した曲面状の壁面等において、本発明の実施の形態における固定金具１０を用いて棚板５０を固定したり、衝立用の脚を固定したりすることができる。このような部材においても、溝部４１の開口部側に穴部４２を形成すれば、プレハブ構造物用建材４０の任意位置から固定金具１０を容易に挿入することができる。
【産業上の利用可能性】
【００１８】  本発明にかかわる固定金具は、ボルト等の嵌合の際の供回りを防止できると共に、ヘッドが固着しにくく、容易にスライドさせて使用でき、且つ、レール溝から外れる虞がなく安全に使用できるという効果を有し、レール溝を有する部位における各種部材の固定等において有用である。
【図面の簡単な説明】
【００１９】
【図１】  本発明の実施の形態における固定金具の外観を示す斜視図
【図２】  本発明の実施の形態における固定金具のレール溝への挿入状態を示す断面図。
【図３】  アルミニウム製のプレハブ構造物用建材に本発明の実施の形態における固定金具を挿入する様子を示す図
【図４】  アルミニウム製のプレハブ構造物用建材を連結して形成した曲面状の壁面等において、本発明の実施の形態における固定金具の使用例を示す図
【符号の説明】
【００２０】  １  円盤状ヘッド
２  円柱状ナット部
３  嵌合部材
１０  固定金具
２０  レール溝
２１  レール溝の穴部
２２  レール溝の溝鍔部
３０  フック
３１  座金
４０  プレハブ構造物用建材
４１  プレハブ構造物用建材の溝部
４２  プレハブ構造物用建材の穴部
５０  棚板
６０  衝立用の脚
【図１】
2008157003.tif 000003
【図２】
2008157003.tif 000004
【図３】
2008157003.tif 000005
【図４】
2008157003.tif 000006